(57)【特許請求の範囲】
【請求項１】
直交変換を用いて圧縮されたディジタル画像信号を記録媒体に記録する記録手段と、特殊再生用のデータを前記記録媒体上の所定位置に記録する特殊再生用データ記録手段とを備えるディジタル画像信号記録装置において、
前記特殊再生用データ記録手段は、前記ディジタル画像信号に含まれるイントラフレームの前記直交変換によって得られる、所定データブロックに対応する係数のうち、（符号語数Ｎｖ＋１）番目の符号語から前記所定データブロックに対応する係数の末尾を示すＥＯＢ符号の直前の符号語までを削除することにより特殊再生用データを作成し、該作成した特殊再生用データを前記記録媒体上の所定位置に記録するものであって、前記イントラフレームを構成するｎ（ｎは１以上の整数）番目のスライスから取り出す特殊再生用データの目標符号量Ｔｓ（ｎ）と、（ｎ−１）番目のスライスから取り出した特殊再生用データの符号量Ｌｓ（ｎ−１）との差分に応じて、ｎ番目のスライスにおける前記符号語数Ｎｖの値を設定することを特徴とするディジタル画像信号記録装置。
【請求項２】
先頭から（ｎ−１）番目までのスライスから取り出した特殊再生用データの符号量の和をＳＬＳ（ｎ−１）とし、前記イントラフレームに対応した目標符号量をＴｐとしたとき、前記特殊再生用データ記録手段は、前記ｎ番目のスライスの目標符号量Ｔｓ（ｎ）を、符号量（Ｔｐ−ＳＬＳ（ｎ−１））と、前記ｎ番目のスライスの前記イントラフレーム内における位置に応じて定められるウエイト係数とに応じて設定することを特徴とする請求項１に記載のディジタル画像信号記録装置。
【請求項３】
前記ウエイト係数は、前記イントラフレームの中央付近のスライスに対応する値を最大とし、対応するスライスの位置が前記イントラフレームの端部に近づくほど小さくなるように設定されることを特徴とする請求項２に記載のディジタル画像信号記録装置。
【請求項４】
前記特殊再生用データ記録手段は、前記スライスを構成するｋ（ｋは１以上の整数）番目のマクロブロックから取り出す特殊再生用データの目標符号量Ｔｂ（ｋ）と、（ｋ−１）番目のマクロブロックから取り出した特殊再生用データの符号量Ｌｂ（ｋ−１）との差分に応じて、ｋ番目のマクロブロックにおける前記符号語数Ｎｖの値を設定することを特徴とする請求項１に記載のディジタル画像信号記録装置。
【請求項５】
先頭から（ｋ−１）番目までのマクロブロックから取り出した特殊再生用データの符号量の和をＳＬＢ（ｋ−１）としたとき、前記特殊再生用データ記録手段は、前記ｋ番目のマクロブロックの目標符号量Ｔｂ（ｋ）を、符号量（Ｔｓ（ｎ）−ＳＬＢ（ｋ−１））を当該スライス内の残りのマクロブロック数で除算した値に設定することを特徴とする請求項４に記載のディジタル画像信号記録装置。
【発明の詳細な説明】
【０００１】
【発明の属する技術分野】
本発明は、直交変換により圧縮されたディジタル画像信号を記録する装置に関し、特に特殊再生用のデータを記録媒体の所定位置に記録するディジタル画像信号記録装置に関する。
【０００２】
【従来の技術】
ＭＰＥＧなどの規格に準拠したディジタル画像信号のように直交変換によって情報量が圧縮されるとともに、イントラフレーム（フレーム内符号化されたフレーム）及びインターフレーム（フレーム間予測符号化されたフレーム）に対応するデータからなるディジタル画像信号を、磁気テープに記録するディジタルＶＴＲ（ビデオテープレコーダ）において、テープ送り速度を記録時より速めて順方向または逆方向に再生する特殊再生時に再生する特殊再生用データを、記録すべき画像信号とは別に磁気テープ上の所定位置に記録するものが従来より知られている（例えば特開平８−９８１３９号公報）。
【０００３】
この場合特殊再生用データは、イントラフレームの各直交変換係数のうち、低域成分の符号語のみを取り出すことによって作成される。
【０００４】
【発明が解決しようとする課題】
上記従来のＶＴＲでは、低域成分の符号語を取り出す場合、各直交変換ブロックに対応して、予め定められた数の直交変換係数に対応する符号語、または予め定められた数の符号語が取り出される。このため、画像によっては、特殊再生用データが記録可能なデータ容量を越えてしまう可能性があった。
【０００５】
本発明はこの点に着目してなされたものであり、入力画像信号から特殊再生用データを取り出す符号語の数を適切に制御することにより、特殊再生用データとして記録可能なデータ容量を過不足なく使用し、特殊再生時の画質を向上させることができるディジタル画像信号記録装置を提供することを目的とする。
【０００６】
【課題を解決するための手段】
上記目的を達成するため請求項１に記載の発明は、直交変換を用いて圧縮されたディジタル画像信号を記録媒体に記録する記録手段と、特殊再生用のデータを前記記録媒体上の所定位置に記録する特殊再生用データ記録手段とを備えるディジタル画像信号記録装置において、前記特殊再生用データ記録手段は、前記ディジタル画像信号に含まれるイントラフレームの前記直交変換によって得られる、所定データブロックに対応する係数のうち、（符号語数Ｎｖ＋１）番目の符号語から前記所定データブロックに対応する係数の末尾を示すＥＯＢ符号の直前の符号語までを削除することにより特殊再生用データを作成し、該作成した特殊再生用データを前記記録媒体上の所定位置に記録するものであって、前記イントラフレームを構成するｎ（ｎは１以上の整数）番目のスライスから取り出す特殊再生用データの目標符号量Ｔｓ（ｎ）と、（ｎ−１）番目のスライスから取り出した特殊再生用データの符号量Ｌｓ（ｎ−１）との差分に応じて、ｎ番目のスライスにおける前記符号語数Ｎｖの値を設定することを特徴とする。
【０００７】
請求項２に記載の発明は、請求項１に記載のディジタル画像信号記録装置において、先頭から（ｎ−１）番目までのスライスから取り出した特殊再生用データの符号量の和をＳＬＳ（ｎ−１）とし、前記イントラフレームに対応した目標符号量をＴｐとしたとき、前記特殊再生用データ記録手段は、前記ｎ番目のスライスの目標符号量Ｔｓ（ｎ）を、符号量（Ｔｐ−ＳＬＳ（ｎ−１））と、前記ｎ番目のスライスの前記イントラフレーム内における位置に応じて定められるウエイト係数とに応じて設定することを特徴とする。
【０００８】
請求項３に記載の発明は、請求項２に記載のディジタル画像信号記録装置において、前記ウエイト係数は、前記イントラフレームの中央付近のスライスに対応する値を最大とし、対応するスライスの位置が前記イントラフレームの端部に近づくほど小さくなるように設定されることを特徴とする。
【０００９】
請求項４に記載の発明は、請求項１に記載のディジタル画像信号記録装置において、前記特殊再生用データ記録手段は、前記スライスを構成するｋ（ｋは１以上の整数）番目のマクロブロックから取り出す特殊再生用データの目標符号量Ｔｂ（ｋ）と、（ｋ−１）番目のマクロブロックから取り出した特殊再生用データの符号量Ｌｂ（ｋ−１）との差分に応じて、ｋ番目のマクロブロックにおける前記符号語数Ｎｖの値を設定することを特徴とする。
【００１０】
請求項５に記載の発明は、請求項４に記載のディジタル画像信号記録装置において、先頭から（ｋ−１）番目までのマクロブロックから取り出した特殊再生用データの符号量の和をＳＬＢ（ｋ−１）としたとき、前記特殊再生用データ記録手段は、前記ｋ番目のマクロブロックの目標符号量Ｔｂ（ｋ）を、符号量（Ｔｓ（ｎ）−ＳＬＢ（ｋ−１））を当該スライス内の残りのマクロブロック数で除算した値に設定することを特徴とする。
【００１１】
【発明の実施の形態】
以下本発明の実施の形態を図面を参照して説明する。
図１は本発明の一実施形態にかかるディジタルＶＴＲ（ビデオテープレコーダ）の要部の構成を示す図である。このＶＴＲは、ＭＰＥＧに準拠して圧縮されたディジタル画像信号、例えばＭＰＥＧデータストリーム（イントラフレーム及びインターフレームに対応するデータを含む。なお、ＭＰＥＧでは１枚の画面を表す「フレーム」に対応する用語として「ピクチャ」を使用するので、以下の説明ではイントラフレームをイントラピクチャともいう。）をパケット化したＭＰＥＧトランスポート・ストリーム・パケットを入力信号とし、その入力信号をフォーマット変換して磁気テープ７の通常再生領域に記録するとともに、入力信号に基づいて特殊再生用データを作成し、その特殊再生用データを磁気テープ７の特殊再生領域に記録するものである。
【００１２】
図１において入力信号は、イントラデータ分離部１及び記録フォーマット変換部６に供給される。イントラデータ分離部１は、入力された画像信号中のイントラピクチャ（フレーム内符号化されたピクチャ）のデータのみを分離し、メモリ部２に入力する。メモリ部２は、入力されるイントラピクチャデータを格納する。
【００１３】
符号量制御部３、ＤＣＴ係数削除部４及びパケット再合成部５は、メモリ部２に格納されたイントラピクチャデータから、ＤＣＴ係数（直交変換の一つである離散コサイン変換により生成される係数）の高次成分（高周波成分）を削除して、特殊再生用データを作成するものである。これらのブロックの機能を説明する前に、図３を参照してＤＣＴ係数の可変長符号化の方法及びＤＣＴ係数の削除方法について説明する。
【００１４】
各ＤＣＴブロックにおいてＤＣＴ係数は、図３（ａ）に示すようないわゆるジグザクスキャンの順序、すなわち同図に示す番号１、２、…、６４の順序に並べ替えられる。番号１が直流成分のデータで、番号２以降が交流成分であって低周波成分から順に並べられている。これを符号化するときには、値が０の係数の連続個数（ラン）と、それに続く値が非０の係数のレベル（レベル）の組み合わせに対して、符号語が割り当てられる。
【００１５】
例えば、図３（ｂ）に示すようなＤＣＴ係数の場合、（ラン，レベル）の組み合わせは以下のようになり、それぞれに対して１つの符号語が割り当てられる。
【００１６】
（０，ｄ２），（０，ｄ３），（１，ｄ５），（０，ｄ６），（０，ｄ７），（２，ｄ１０），（７，ｄ１８），（４，ｄ２３），（４，ｄ２８），（１２，ｄ４１）
なお、直流成分ｄ１は別途符号化される。また最後の非０係数（図３（ｂ）の例ではｄ４１）の後には、当該ＤＣＴブロックに対応する係数の末尾を示すＥＯＢ符号が付加される。
【００１７】
入力信号のフレームレートをＦ（フレーム／秒）、特殊再生用データの記録レートをＲ（ビット／秒）、特殊再生用イントラピクチャの周期をＮｉ（フレーム）とすると、特殊再生用イントラピクチャ１枚当たりのデータの記録容量Ｌは、Ｌ＝Ｒ×Ｎｉ／Ｆとなるので、特殊再生用イントラピクチャ１枚当たりの目標符号量Ｔｐ＝Ｌとする。以下Ｔｐを「ピクチャ目標符号量」と呼ぶ。
【００１８】
ここで、特殊再生用イントラピクチャの周期Ｎｉは、入力信号のイントラピクチャ周期をＮ０とすると、Ｎｉ＝αＮ０（αは、任意の正の整数）と表すことができる。整数αの値は、再生倍速数（記録時のテープ速度に対する再生時のテープ速度の比）Ｓに応じて、再生倍速数Ｓが大きいほど大きな値に設定される。
【００１９】
特殊再生用イントラピクチャ１枚当たりの符号量が目標符号量Ｔｐより大きいときは、そのイントラピクチャの各ＤＣＴブロックにおいて次数の低い（周波数に低い成分に対応する）ＤＣＴ係数の符号語から順にＮｖ個の符号語を抽出し、（Ｎｖ＋１）番目の符号語からＥＯＢ符号の直前の符号語までを削除する。その際、符号語数Ｎｖが小さすぎると再生画像の劣化が大きくなるので、図１の符号量制御部３は、符号語数Ｎｖの設定を行い、ＤＣＴ係数削除部４は、その符号語数ＮｖとなるようにＤＣＴブロック毎に符号語の削除を行う。図４は、符号量制御部３及びＤＣＴ係数削除部４における処理を説明するためのフローチャートである。
【００２０】
図４（ａ）は、ピクチャレイヤを処理単位とするピクチャレイヤ処理のフローチャートを示し、同図（ｂ）は、同図（ａ）のステップＳ３において実行され、ピクチャに含まれるスライスを処理単位とするスライスレイヤ処理のフローチャートを示す。ピクチャレイヤ処理は、イントラピクチャ毎に実行される。
【００２１】
先ずステップＳ１では、ピクチャ内の何番目のスライスかを示すスライス番号ｎを初期値「０」に設定するとともに、符号語数Ｎｖを予め定めた初期値に設定する。次いで、ピクチャ内の先頭のスライスに対応する目標符号量Ｔｓ（０）を下記数式１により算出する。
【００２２】
【数１】
0003769910.tif 000002
ここで、Ｔｐはピクチャ目標符号量、Ｌｐｈはピクチャのヘッダ情報の符号量、Ｌｏｆは直前のピクチャ（イントラピクチャ）に対応する符号語の内、そのピクチャに対応するピクチャ目標符号量をオーバフローした分の符号量、Ｗ（ｉ）は第ｉ番目のスライスのウエイト係数、Ｎｓはピクチャ内のスライス数である。
【００２３】
続くステップＳ３では、図４（ｂ）のスライスレイヤ処理を実行し、ステップＳ４では、スライス番号ｎを「１」だけインクリメントする。次いで、スライス番号ｎがスライス数Ｎｓより小さいか否かを判別し（ステップＳ５）、ｎ＝Ｎｓであれば処理を終了し、ｎ＜Ｎｓであれば、下記数式２により第ｎ番目（ｎ＝１〜Ｎｓ−１）のスライスの目標符号量Ｔｓ（ｎ）を算出する（ステップＳ６）。
【００２４】
【数２】
0003769910.tif 000003
ここで、Ｌｓ（ｉ）は、第ｉ番目のスライスから抽出した符号量である。ウエイト係数Ｗ（ｉ）は、画面の中央付近のスライスに対応する値を最大とし、画面の端に近いスライスほど小さくなるように設定される。このようにウエイト係数Ｗ（ｉ）を設定することにより、画面の中央付近のスライスに符号量が多く割り当てられるので、その部分の画質を向上させることができる。
【００２５】
続くステップＳ７では、第ｎ番目のスライスの目標符号量Ｔｓ（ｎ）と、第（ｎ−１）番目のスライスの符号量Ｌｓ（ｎ−１）との差分ΔＴｓ（＝Ｔｓ（ｎ）−Ｌｓ（ｎ−１））を下記数式３に適用して、符号語数Ｎｖの更新を行う。
【００２６】
【数３】
0003769910.tif 000004
ここでＣ１は、定数である。ステップＳ７実行後はステップＳ３の戻る。
次に図４（ｂ）のスライスレイヤ処理を説明する。
【００２７】
ステップＳ１１では、スライス内の何番目のマクロブロック（所定数のＤＣＴブロックで構成されるブロック）かを示すマクロブロック番号ｋを初期値「０」に設定する。次いで、下記数式４により第ｋ番目のマクロブロックに対応する目標符号量（以下「マクロブロック目標符号量」という）Ｔｍ（ｋ）の初期値Ｔｍ（０）を算出する（ステップＳ１２）。
【００２８】
【数４】
0003769910.tif 000005
ここで、Ｌｓｈはスライスのヘッダ情報の符号量、Ｎｍｂはスライス内のマクロブロック数である。
【００２９】
続くステップＳ１３では、マクロブロックレイヤ処理、具体的には、設定された符号語数Ｎｖにしたがって、メモリ部２から読み出したイントラフレームデータから、今回処理対象となっている第ｋ番目のマクロブロックに含まれるＤＣＴブロックに対応する符号語から符号語数Ｎｖ分のデータを抽出する、すなわちＮｖ＋１番目の符号語からＥＯＢ符号の直前の符号語までを削除する処理を行う。
【００３０】
次いでマクロブロック番号ｋを「１」だけインクリメントし（ステップＳ１４）、マクロブロック番号ｋがマクロブロック数Ｎｍｂより小さいか否かを判別する（ステップＳ１５）。そして、ｋ＝Ｎｍｂとなったときは処理を終了し、ｋ＜Ｎｍｂであるときは、下記数式５により第ｋ番目（ｋ＝１〜Ｎｍｂ−１）のマクロブロックに対応するマクロブロック目標符号量Ｔｍ（ｋ）を算出する（ステップＳ１６）。
【００３１】
【数５】
0003769910.tif 000006
ここで、Ｌｍ（ｉ）は第ｉ番目のマクロブロックから抽出した符号量である。
【００３２】
次いで、第ｋ番目のマクロブロックの目標符号量Ｔｍ（ｋ）と、第（ｋ−１）番目のマクロブロックの符号量Ｌｍ（ｋ−１）との差分ΔＴｍ（＝Ｔｍ（ｋ）−Ｌｍ（ｋ−１））を下記数式６に適用して、符号語数Ｎｖの更新を行う（ステップＳ１７）。
【００３３】
【数６】
0003769910.tif 000007
ここでＣ２は、定数である。ステップＳ１７実行後は、ステップＳ１３に戻る。
【００３４】
ＤＣＴ係数削除部４は、上記ステップＳ１３の処理により抽出したデータをパケット再合成部５に入力する。パケット再合成部５は、入力されるデータを入力信号と同様のＭＰＥＧトランスポート・ストリーム・パケットの形式に再合成し、記録フォーマット変換部６に入力する。
【００３５】
図２は、記録フォーマット変換部６の構成を示す図であり、記録フォーマット変換部６は、シンクブロック構成部６１及びチャネル符号化部６２からなる。シンクブロック構成部６１は、パケット再合成部５からの特殊再生用データ及び、通常再生用データ（すなわち入力信号そのもの）に、シンクブロックを識別するためのシンクパターン、トラック番号などの情報からなるＩＤコード及び誤り訂正符号を付加して所定のシンクブロックを構成する。チャネル符号化部６２は、入力データを、磁気テープを用いたディジタル信号の記録再生系に適合した記録データ列に変換し、記録アンプ７及び磁気ヘッド８を介して、磁気テープ９への記録を行う。本実施形態のＶＴＲは、２つの回転ヘッド（ヘッドギャップのアジマスが互いに異なる）によるヘリカルスキャン型のＶＴＲである。このようにして記録された磁気テープを特殊再生する場合には、特殊再生用のデータを選択的に再生して再生画像信号を構成する。
【００３６】
図４は、２つの磁気ヘッドを３０回転／秒で回転させて、磁気テープ上に記録された特殊再生用データの配置例を示す図であり、２つ磁気ヘッド８−及び８＋のアジマスをθＨ−及びθＨ＋とすると、アジマスθＨ−の磁気ヘッド８−により、トラック番号ＴＮが偶数のトラックが記録再生され、アジマスθＨ＋の磁気ヘッド８＋により、トラック番号ＴＮが奇数のトラックが記録再生される。同図中の矢線Ｈが、記録時及び通常再生時の磁気ヘッド８−，８＋の走査方向を示す。右下がりの粗いハッチングを付して示す領域４Ｘが、４倍速再生用データの記録領域であり、右下がりの細かいハッチングを付して示す領域２４Ｘが、２４倍速再生用データの記録領域であり、右上がりのハッチングを付して示す領域１２Ｘが、１２倍速再生用データの記録領域である。
【００３７】
本実施形態では、アジマスθＨ−の磁気ヘッド８−により特殊再生用データの記録再生を行う。すなわち、矢線Ａ−が４倍速再生時の、磁気ヘッド８−の走査軌跡を示し、４倍速再生用データが記録されている領域を走査するように制御される。矢線Ａ＋は、４倍速再生時の、磁気ヘッド８＋の走査軌跡を示し、４倍速再生用データの再生は行わない。同様に、矢線Ｂ−が１２倍速再生時の、磁気ヘッド８−の走査軌跡を示し、１２倍速再生用データが記録されている領域を走査するように制御される。さらに、矢線Ｃ−が２４倍速再生時の、磁気ヘッド８−の走査軌跡を示し、２４倍速再生用データが記録されている領域を走査するように制御される。なお矢線Ｂ＋及びＣ＋は、それぞれ１２倍速再生時及び２４倍速再生時の磁気ヘッド８＋の走査軌跡を示す。
【００３８】
以上のように本実施形態では、イントラピクチャの各ＤＣＴブロックに対応するＤＣＴ係数のうち、（符号語数Ｎｖ＋１）番目の符号語からＥＯＢ符号の直前の符号語までを削除することにより特殊再生用データを作成し、イントラピクチャを構成するｎ番目のスライスから取り出す特殊再生用データの目標符号量Ｔｓ（ｎ）と、（ｎ−１）番目のスライスから取り出した特殊再生用データの符号量Ｌｓ（ｎ−１）との差分に応じて、ｎ番目のスライスにおける符号語数Ｎｖの値を設定するようにしたので、スライス単位で符号語数Ｎｖを、実際の符号量と目標符号量とに応じて適応的に設定することができ、特殊再生用データの符号量を容易に制御することができる。
【００３９】
また、ピクチャの先頭から（ｎ−１）番目までのスライスから取り出した特殊再生用データの符号量の和をＳＬＳ（ｎ−１）とし、イントラピクチャに対応した目標符号量をＴｐとしたとき、ｎ番目のスライスの目標符号量Ｔｓ（ｎ）を、符号量（Ｔｐ−ＳＬＳ（ｎ−１））と、ｎ番目のスライスのイントラピクチャ内における位置に応じて定められるウエイト係数Ｗ（ｎ）とに応じて設定するようしたので、画面内の位置に応じた適切な符号量制御を行うことができる。
【００４０】
また、ウエイト係数Ｗ（ｎ）は、イントラピクチャの中央付近のスライスに対応する値を最大とし、対応するスライスの位置がイントラピクチャの端部に近づくほど小さくなるように設定することにより、画面の中央付近の画質を向上させることができる。
【００４１】
さらに、マクロブロック単位で符号語数Ｎｖを更新することにより、よりきめの細かい符号量制御が可能となる。
なお、図４（ｂ）に示すマクロブロック単位の符号語数Ｎｖの更新は行わずに、スライス単位の符号語数Ｎｖの更新のみを行うようにしてよい。
【００４２】
また、スライス単位でイントラモードにして画像をリフレッシュさせるイントラスライス方式の入力信号の場合には、画面の最上部のイントラスライスから最下部のイントラスライスまでの各イントラスライスのデータを時系列順に集めたものを１枚のイントラフレームのデータとみなして同様の処理を行えばよい。
【００４３】
また、記録媒体は、磁気テープに限らず、磁気ディスク等であってもよい。
【００４４】
【発明の効果】
以上詳述したように請求項１に記載のディジタル画像信号記録装置によれば、入力ディジタル画像信号に含まれるイントラフレームの直交変換によって得られる、所定データブロックに対応する係数のうち、（符号語数Ｎｖ＋１）番目の符号語から所定データブロックに対応する係数の末尾を示すＥＯＢ符号の直前の符号語までを削除することにより特殊再生用データが作成され、イントラフレームを構成するｎ（ｎは１以上の整数）番目のスライスから取り出す特殊再生用データの目標符号量Ｔｓ（ｎ）と、（ｎ−１）番目のスライスから取り出した特殊再生用データの符号量Ｌｓ（ｎ−１）との差分に応じて、ｎ番目のスライスにおける符号語数Ｎｖの値が設定されるので、スライス単位で符号語数Ｎｖを、実際の符号量と目標符号量とに応じて適応的に設定することができ、特殊再生用データの符号量を容易に制御することができる。
【００４５】
請求項２に記載のディジタル画像信号記録装置によれば、先頭から（ｎ−１）番目までのスライスから取り出した特殊再生用データの符号量の和をＳＬＳ（ｎ−１）とし、イントラフレームに対応した目標符号量をＴｐとしたとき、ｎ番目のスライスの目標符号量Ｔｓ（ｎ）が、符号量（Ｔｐ−ＳＬＳ（ｎ−１））と、ｎ番目のスライスのイントラフレーム内における位置に応じて定められるウエイト係数とに応じて設定されるので、画面内の位置に応じた適切な符号量制御を行うことができる。
【００４６】
請求項３に記載のディジタル画像信号記録装置によれば、ウエイト係数は、イントラフレームの中央付近のスライスに対応する値を最大とし、対応するスライスの位置がイントラフレームの端部に近づくほど小さくなるように設定されるので、、画面の中央付近の画質を向上させることができる。
【００４７】
請求項４に記載のディジタル画像信号記録装置によれば、スライスを構成するｋ（ｋは１以上の整数）番目のマクロブロックから取り出す特殊再生用データの目標符号量Ｔｂ（ｋ）と、（ｋ−１）番目のマクロブロックから取り出した特殊再生用データの符号量Ｌｂ（ｋ−１）との差分に応じて、ｋ番目のマクロブロックにおける符号語数Ｎｖの値が設定されるので、よりきめの細かい符号量制御が可能となる。
【図面の簡単な説明】
【図１】本発明の一実施形態にかかるディジタルＶＴＲの構成を示す図である。
【図２】図１の記録フォーマット変換部の構成を示す図である。
【図３】ＤＣＴ係数の可変長符号化を説明するための図である。
【図４】図１の符号量制御部で実行される処理のフローチャートである。
【図５】磁気テープ上の特殊再生用データの配置例を示す図である。
【符号の説明】
１  イントラデータ分離部（特殊再生用データ記録手段）
２  メモリ部（特殊再生用データ記録手段）
３  符号量制御部（特殊再生用データ記録手段）
４  ＤＣＴ係数削除部（特殊再生用データ記録手段）
５  パケット再合成部（特殊再生用データ記録手段）
６  記録フォーマット変換部（記録手段、特殊再生用データ記録手段）
７  記録アンプ（記録手段、特殊再生用データ記録手段）
８  磁気ヘッド（記録手段、特殊再生用データ記録手段）
【図１】
0003769910.tif 000008
【図２】
0003769910.tif 000009
【図３】
0003769910.tif 000010
【図４】
0003769910.tif 000011
【図５】
0003769910.tif 000012